(57)【要約】  【課題】  フロントパネルに対するバックライトユニットのずれを防止できる。  【解決手段】  バックライトユニット７と、フロントパネル３と、バックライトユニット７とフロントパネル３とを固定する固定ピン９と、を備え、バックライトユニット７は、本体７ａと、該本体７ａから外方に突出した複数の突出部７ｂとを有しており、該複数の突出部７ｂにそれぞれ設けられた貫通孔７ｂ１と、該貫通孔７ｂ１にそれぞれ対応するフロントパネル３の固定孔３ｂとに、固定ピン９がそれぞれバックライトユニット７の側から差し込まれている。【選択図】  図２
2018163308.tif 000002
【特許請求の範囲】
【請求項１】
バックライトユニットと、
フロントパネルと、
前記バックライトユニットと前記フロントパネルとを固定する固定ピンと、を備え、
前記バックライトユニットは、本体と、該本体から外方に突出した複数の突出部とを有しており、
該複数の突出部にそれぞれ設けられた貫通孔と、該貫通孔にそれぞれ対応する前記フロントパネルの固定孔とに、前記固定ピンがそれぞれ前記バックライトユニットの側から差し込まれていることを特徴とする表示装置。
【請求項２】
バックライトユニットと、
フロントパネルと、を備え、
前記バックライトユニットは、本体と、該本体から外方に突出した複数の突出部とを有しており、
該複数の突出部にそれぞれ設けられた固定ピンが、前記フロントパネルの前記固定ピンに対応する位置に設けられた固定孔に、それぞれ差し込まれていることを特徴とする表示装置。
【請求項３】
前記固定ピンは、前記フロントパネルの固定孔に嵌入されている請求項１または２に記載の表示装置。
【請求項４】
前記固定ピンの先端部に返しが形成されており、前記フロントパネルの固定孔を前記固定ピンが挿通し、前記返しが前記フロントパネルに係合している請求項１乃至３のうちのいずれかに記載の表示装置。
【請求項５】
前記バックライトユニットは複数の位置決めピンを具備しており、該複数の位置決めピンにそれぞれ対応する前記フロントパネルの位置決め孔に、前記複数の位置決めピンが挿入されている請求項１乃至４のうちいずれかに記載の表示装置。
【請求項６】
前記フロントパネルの位置決め孔の内径は、前記位置決めピンが前記フロントパネルの位置決め孔を移動できる大きさを有している請求項５に記載の表示装置。
【請求項７】
前記フロントパネルは、前記バックパネルユニットの背面に係合するフックを有する請求項１乃至６のうちのいずれかに記載の画像表示装置。
【発明の詳細な説明】
【技術分野】
【０００１】
本発明は、表示装置に関する。
【背景技術】
【０００２】
従来、枠状で樹脂製のフロントパネルに、薄膜トランジスタディスプレイがバックライトに取り付けられたバックライトユニットを固定した表示装置が知られている。この表示装置では、フロントパネルの開口部に透明なカバー部材が配置されており、外部から透明なカバー部材を介して薄膜トランジスタディスプレイの表示が見えるように構成されている。
【０００３】
このような表示装置では、バックライトユニットを枠状のフロントパネルに、ネジで固定していた（例えば、特許文献１参照）。
【先行技術文献】
【特許文献】
【０００４】
【特許文献１】特開平１１−３０５２０９号公報
【発明の概要】
【発明が解決しようとする課題】
【０００５】
しかしながら、従来の表示装置では、バックライトユニットを枠状のフロントパネルに、ネジで固定していたため、ネジの締め付け時にトルクが樹脂製のフロントパネルに作用し、フロントパネルが変形する虞があった。これにより、フロントパネルの開口部に対してバックライトユニットのディスプレイがずれ、外観上の不具合が発生する虞があった。
【０００６】
特に近年においては、小型薄型化の観点からフロントパネルの枠の幅が狭くかつ薄くなる傾向にあり、さらには、近年においては、フロントパネルの開口部にカバー部材を設けないタイプも出現してきており、このような場合には、特に、フロントパネルが変形し易くなり、ネジの締め付け時にフロントパネルが変形し、フロントパネルに対してバックライトユニットがずれ易くなるという問題があった。
【０００７】
本発明は、フロントパネルに対するバックライトユニットのずれを防止できる表示装置を提供することを目的とする。
【課題を解決するための手段】
【０００８】
本発明の表示装置は、バックライトユニットと、フロントパネルと、前記バックライトユニットと前記フロントパネルとを固定する固定ピンと、を備え、前記バックライトユニットは、本体と、該本体から外方に突出した複数の突出部とを有しており、該複数の突出部にそれぞれ設けられた貫通孔と、該貫通孔にそれぞれ対応する前記フロントパネルの固定孔とに、前記固定ピンがそれぞれ前記バックライトユニットの側から差し込まれていることを特徴とする。
【発明の効果】
【０００９】
本発明の表示装置では、フロントパネルに対するバックライトユニットのずれを防止できる。
【図面の簡単な説明】
【００１０】
【図１】本発明の表示装置を示す斜視図である。
【図２】図１の２ａ−２ａ線に沿った断面図を示すもので、（ａ）は固定ピンをバックライトユニット側からフロントパネルの固定孔に嵌入した状態を示す断面図、（ｂ）は（ａ）の固定ピンを示す斜視図、（ｃ）はストッパ付きの固定ピンをバックライトユニット側からフロントパネルの固定孔に挿入した状態を示す断面図、（ｄ）は（ｃ）のストッパ付きの固定ピンを示す斜視図である。
【図３】（ａ）は図１のバックライトユニットの平面図であり、（ｂ）は図１のフロントパネルの平面図である。
【図４】本発明の表示装置の分解斜視図である。
【図５】（ａ）は位置決めピンを有する表示装置の分解斜視図であり、（ｂ）はバックライトユニットの位置決めピンをフロントパネルの位置決め孔に挿入する状態を示す斜視図である。
【図６】（ａ）は位置決めピンを有するバックライトユニットの平面図であり、（ｂ）はフロントパネルの平面図である。
【図７】（ａ）は位置決めピンをフロントパネルの位置決め孔に挿入した状態を示す断面図であり、（ｂ）は、位置決めピンをフロントパネルの断面楕円状の位置決め孔に挿入した状態を示す断面図であり、（ｃ）は、位置決め孔を長孔とした状態を示す平面図である。
【図８】フロントパネルが、バックパネルユニットの背面に係合するフックを有している形態を示す断面図である。
【発明を実施するための形態】
【００１１】
以下、表示装置の実施形態について、図面を参照しながら説明する。但し、以下で参照する各図は、表示装置を説明するための主要部を示している。従って、表示装置は、図に示されていない回路基板、配線導体、制御ＩＣ，ＬＳＩ等の周知の構成部材を備えていてもよい。
【００１２】
表示装置としての液晶表示装置（ＬＣＤ）は、図１および図２に示すように、ガラス板等から成る透明なカバー部材１と、カバー部材１により表示面２ａが覆われる液晶表示パネル２と、液晶表示パネル２を嵌め込むための開口３ａを有する樹脂製で枠状のフロントパネル３と、液晶表示パネル２の表示面２ａと反対側に設置された平板状のバックライト４と、バックライト４の液晶表示パネル２と反対側に設置された樹脂製の保護部材５とを有している。
【００１３】
液晶表示パネル２とバックライト４は保護部材５に固定されており、これらの液晶表示パネル２、バックライト４および保護部材５を具備してバックライトユニット７が構成されている。
【００１４】
そして、バックライトユニット７は、本体７ａと、該本体７ａから外方に突出した複数の突出部７ｂとを有しており、該複数の突出部７ｂにそれぞれ設けられた貫通孔７ｂ１と、該貫通孔７ｂ１にそれぞれ対応するフロントパネル３の固定孔３ｂとに、固定ピン９がそれぞれバックライトユニット７の側から差し込まれている。
【００１５】
すなわち、図３に示すように、バックライトユニット７の本体７ａは平面視した時に矩形状を有しており、このバックライトユニット７の対向する辺の両端部には、外方に向けて突出する突出部７ｂがそれぞれ配置されており、図４に示すように、これらの突出部７ｂの貫通孔７ｂ１と、フロントパネル３の固定孔３ｂとの位置を合わせ、貫通孔７ｂ１、固定孔３ｂに固定ピン９がバックライトユニット７の側から差し込まれている。
【００１６】
すなわち、バックライトユニット７の本体７ａには４個の突出部７ｂが配置されており、これらの突出部７ｂの貫通孔７ｂ１と、フロントパネル３の４個の固定孔３ｂとに、４
本の固定ピン９が差し込まれている。
【００１７】
これらの固定ピン９は、図２（ａ）に示すように、バックライトユニット７の側から突出部７ｂの貫通孔７ｂ１に挿入され、フロントパネル３の４個の固定孔３ｂに嵌入されている。言い換えれば、固定ピン９の外径とフロントパネル３の４個の固定孔３ｂの内径はほぼ同じであり、図２（ｂ）の固定ピン９は、バックライトユニット７を間に挟んで、フロントパネル３の４個の固定孔３ｂに圧入され、固定ピン９により、バックライトユニット７がフロントパネル３に固定されている。
【００１８】
なお、図２（ｄ）に示すように、固定ピン１３が、先端部に返し１３ａが形成されたものであり（いわゆるフック付きピン）、図２（ｃ）に示すように、フロントバネル３の固定孔３ｂを固定ピン１３が挿通し、返し１３ａがフロントパネル３に係合しているものであっても良い。この場合には、フロントパネル３の固定孔３ｂから固定ピン１３が抜けるのを防止でき、バックライトユニット７のフロントパネル３からの剥離を防止できる。
【００１９】
以上のように構成された表示装置では、固定ピン９、１３を、バックライトユニット７の突出部７ｂの貫通孔７ｂ１、フロントパネル３の固定孔３ｂに差し込むことにより、バックライトユニット７をフロントパネル３に固定でき、従来のように、ネジを回転させて締め付ける必要がないため、バックライトユニット７をフロントパネル３に固定する際に、樹脂製のフロントパネル３に回転力が作用することがなく、フロントパネルの変形を無くすことができ、液晶表示パネル２のフロントパネル３の開口部３ａに対するずれ、いわゆるθずれを防止できる。
【００２０】
また、固定ピン９を固定孔３ｂに圧入し、固定ピン１３を固定孔３ｂに挿入し、返し１３ａをフロントパネル３に係合させたので、フロントパネル３の固定孔３ｂから固定ピン９、１３が抜けるのを防止でき、バックライトユニット７のフロントパネル３からの剥離を防止できる。
【００２１】
図５、６は、本発明の表示装置の他の形態を示すもので、この形態では、図１の実施形態に対して、さらにバックライトユニット７が、フロントパネル３側に突出する位置決めピン２１を有しており、フロントパネル３が位置決め孔２２を有している。
【００２２】
すなわち、バックライトユニット７の対向する辺の両端部の突出部７ｂ間には、それぞれ位置決め用突出部２３が設けられており、この位置決め用突出部２３には位置決めピン２１が設けられ、これらの位置決めピン２１にそれぞれ対応するフロントパネル７の位置決め孔２２に、位置決めピン２１がそれぞれ挿入されている。この形態では、２個の位置決めピン２１を有している。
【００２３】
この実施形態の表示装置では、まず、図５（ｂ）、図７に示すように、バックライトユニット７の位置決めピン２１を、フロントパネル３の位置決め孔２２に挿入し、バックライトユニット７に対するフロントパネル３を位置決めする。この状態では、バックライトユニット７の突出部７ｂの貫通孔７ｂ１と、フロントパネル３の固定孔３ｂとが同じ位置に位置決めされているので、固定ピン９、１３を、バックライトユニット７の突出部７ｂの貫通孔７ｂ１、フロントパネル３の固定孔３ｂに容易に差し込むことができる。
【００２４】
なお、図７（ｃ）に示すように、フロントパネル３の位置決め孔２２の内径を、位置決めピン２１がフロントパネル３の位置決め孔２２を移動できる大きさとすることができる。
【００２５】
すなわち、フロントパネル３の位置決め孔２２が、バックライトユニット７の長手方向
に長い長孔とされている。なお、位置決め孔２２は、位置決めピン２１が移動できれば良く、特に長孔に限定されるものではない。
【００２６】
この形態の表示装置では、フロントパネル３とバックライトユニット７との相対位置を微調整することができ、固定ピン９、１３のフロントパネル３の固定孔３ｂへの差し込みを容易に行うことができる。
【００２７】
なお、少なくとも一方の位置決め孔２２が、位置決めピン２１が位置決め孔２２を移動できる大きさであれば良く、両方の位置決め孔２２が位置決めピン２１が位置決め孔２２を移動できる大きさであっても良い。
【００２８】
さらに、この形態では、２個の位置決めピン２１を有している場合について説明したが、３個、もしくは４個以上の位置決めピンを有していても良い。この場合には、バックライトユニット７の突出部７ｂの貫通孔７ｂ１と、フロントパネル３の固定孔３ｂとを十分に位置決めできる。
【００２９】
上記実施形態では、固定ピン９、１３を、バックライトユニット７の突出部７ｂの貫通孔７ｂ１、フロントパネル３の固定孔３ｂに差し込む形態であったが、バックライトユニットの突出部７ｂに、フロントパネル３側に突出する固定ピンを一体に設け、このフロントパネル３の固定ピン９、１３に対応する位置に設けられた固定孔３ｂに、それぞれ差し込んでも良い。
【００３０】
図８は、本発明の表示装置のさらに他の形態を示すもので、この形態では、図１、図５の実施形態に対して、フロントパネル３が、バックパネルユニット７の背面に係合するフック３１を有している。
【００３１】
このような表示装置では、バックライトユニット７のフロントパネル３からの剥離を防止できる。この形態では、特に、固定ピン９を用いてバックライトユニット７をフロントパネル３に固定した表示装置に有効である。
【符号の説明】
【００３２】
３    フロントパネル
３ｂ  固定孔
７  バックライトユニット
７ａ  本体
７ｂ  突出部
７ｂ１  貫通孔
９、１３  固定ピン
１３ａ  返し
２１  位置決めピン
２２  位置決め孔
３１  フック
【図１】
2018163308.tif 000003
【図２】
2018163308.tif 000004
【図３】
2018163308.tif 000005
【図４】
2018163308.tif 000006
【図５】
2018163308.tif 000007
【図６】
2018163308.tif 000008
【図７】
2018163308.tif 000009
【図８】
2018163308.tif 000010